(57)【要約】【課題】住宅構成物の形状や仕様を、図面を作成することなく簡単に且つ正確に決定させ、さらに、受注者及び発注者間での調整に手間取ることのない受発注支援システムを提供する。【解決手段】サーバー２は、複数の組合せプラン２０を階段の基本図面として記憶した基本図面データベース１６と、階段の段数等の構成要素２２を組合せプラン２２に関連付けて記憶した構成要素データベース１７とを備える。また、複数の組合せプランを発注側端末装置に出力し、いずれか一つを選択させるプラン選択要求手段２９と、選択された組合せプランに対して変更可能な構成要素２２を抽出する構成要素抽出手段３１と、構成要素に関する情報を発注側端末装置に出力し変更を許可する変更許可手段３２と、これらを基に階段の形状図面を作成し発注側端末装置に出力する形状図面出力手段３３とを具備する。【選択図】        図２
2004227048.tif 000002
【特許請求の範囲】
【請求項１】
階段等の住宅構成物を構築するために必要とされる個々の構成部品を、発注側端末装置から通信ネットワークを介してサーバーに発注することが可能な住宅構成物の受発注支援システムであって、
前記サーバーは、
前記構成部品の組合せからなる複数の組合せプランを、前記住宅構成物の基本図面として記憶した基本図面記憶手段と、
前記住宅構成物の形態及び仕様等の構成要素を、前記組合せプランに関連付けて記憶した構成要素記憶手段と、
前記基本図面記憶手段に記憶された前記複数の組合せプランを、前記発注側端末装置に出力し、前記複数の組合せプランの中からいずれか一つを選択させるプラン選択要求手段と、
選択された組合せプランに対して変更可能な構成要素を前記構成要素記憶手段から抽出する抽出手段と、
抽出された前記構成要素に関する情報を前記発注側端末装置に出力し、前記構成要素の変更を許可する変更許可手段と、
選択された前記組合せプラン及び変更された前記構成要素を基に、前記住宅構成物の形状図面を作成し、前記発注側端末装置に出力する形状図面出力手段と
を具備することを特徴とする住宅構成物の受発注支援システム。
【請求項２】
前記サーバーは、
個々の前記構成部品の標準寸法を前記構成部品に対応させて記憶した寸法記憶手段と、
前記発注側端末装置から、前記住宅構成物の各部における希望寸法が入力されると、該希望寸法及び前記形状図面に基づいて、前記住宅構成物に適した前記構成部品の標準寸法を前記寸法記憶手段から抽出する寸法抽出手段と、
抽出された前記標準寸法を、前記発注側端末装置に出力する寸法情報出力手段と
をさらに備えることを特徴とする請求項１に記載の住宅構成物の受発注支援システム。
【請求項３】
前記寸法記憶手段には、前記標準寸法とともに個々の前記構成部品の販売価格が記憶され、
前記サーバーは、
前記形状図面及び前記寸法情報に基づいて、前記構成部品毎の必要個数を算出する個数算出手段と、
該個数算出手段によって算出された必要個数、及び前記寸法記憶手段に記憶された販売価格を含む見積情報を、前記発注側端末装置に出力する見積情報出力手段と
をさらに備えることを特徴とする請求項２に記載の住宅構成物の受発注支援システム。
【請求項４】
前記サーバーは、
前記住宅構成物の施工写真を、夫々の前記組合せプランに関連付けて記憶した写真記憶手段と、
前記発注側端末装置で一つの組合せプランが選択されると、該組合せプランに対応する施工写真を前記写真記憶手段から抽出し、前記発注側端末装置に出力する施工写真出力手段と
をさらに備えることを特徴とする請求項１乃至請求項３のいずれか一つに記載の住宅構成物の受発注支援システム。
【請求項５】
前記サーバーは、
前記発注側端末装置によって選択された前記組合せプラン及び変更された前記構成要素を互いに関連付けて記憶する選択情報記憶手段と、
前記組合せプランが選択された後に、前記発注側端末装置において所定の操作がなされると、前記組合せプランに対応する前記構成要素を前記選択情報記憶手段から抽出し前記発注側端末装置に出力する構成要素出力手段と
をさらに備えることを特徴とする請求項１乃至請求項４のいずれか一つに記載の住宅構成物の受発注支援システム。
【請求項６】
階段等の住宅構成物を構築するために必要とされる個々の構成部品を、発注側端末装置から通信ネットワークを介してサーバーに発注することが可能な住宅構成物の受発注支援システムにおいて使用される受発注支援プログラムであって、
前記構成部品の組合せからなる複数の組合せプランを、前記住宅構成物の基本図面として記憶した基本図面記憶手段、
前記住宅構成物の形態及び仕様等の構成要素を、前記組合せプランに関連付けて記憶した構成要素記憶手段、
前記基本形状記憶手段に記憶された前記複数の組合せプランを、前記発注側端末装置に出力し、前記複数の組合せプランの中からいずれか一つを選択させるプラン選択要求手段、
選択された組合せプランに対して変更可能な構成要素を前記構成要素記憶手段から抽出する抽出手段、
抽出された前記構成要素に関する情報を前記発注側端末装置に出力し、前記構成要素の変更を許可する変更許可手段、
及び、選択された前記組合せプラン及び変更された前記構成要素を基に、前記住宅構成物の形状図面を作成し、前記発注側端末装置に出力する形状図面出力手段
として、前記サーバーを機能させることを特徴とする受発注支援プログラム。
【発明の詳細な説明】
【０００１】
【発明の属する技術分野】
本発明は、住宅構成物の受発注支援システム、及び受発注支援プログラムに関するものであり、特に、階段、玄関ユニット、またはバスユニット等の住宅構成物を構築するために必要とされる個々の構成部品を、通信ネットワークを介して受発注することが可能な住宅構成物の受発注支援システム、及びそのシステムにかかるプログラムに関するものである。
【０００２】
【従来の技術】
住宅における階段は玄関の近傍に位置することが多く、住宅のレイアウト上、重要な構成要素となっている。しかも、来客等の視線を立体的に上方に誘導させることから、住宅全体のボリュームと品格を大きく左右する構成要素となる。さらに、住宅の安全面からも重要な構成要素となっている。そして、施主はこのような認識を意識的に理解しているわけではないが、住宅展示場での見学等を通して、無意識のうちに階段が住宅の顔の一部であることを認識している。
【０００３】
しかし、一方では、階段は複雑な構成部品の組合せから構築されており、コストアップの要因となっている。また振動が最も伝わる部分でもあるため、技術力が必要とされるとともに、建築基準法及びＰＬ法上からも安全性が重要視されている。つまり、階段は水回りと同様、建築コスト及び技術面で最重要な部分となっている。
【０００４】
このような社会的背景から、イージーオーダーの階段を受発注できる体制を整えることが望まれている。
【０００５】
以上の従来技術は、当業者において当然として行われているものであり、出願人は、この従来技術が記載された文献を知見していない。
【０００６】
【発明が解決しようとする課題】
しかしながら、従来は、階段を構築するにあたって、その構築に必要とされる構成部品を揃える場合には、階段の形状を示す図面を作成し、階段の寸法等必要な情報を記載した書面とともに、メーカーや販売店等（以下、受注者という）に送付していた。この際、階段の形状を示すために詳細な図面を作成しようとすると、多大な手間がかかることから、発注者の負担が大きくなっていた。一方、施主や大工が図面を作成した場合には、フリーハンドの簡略化された図面となることが多いため、受注者は図面から正確な形状を認識することが困難となり、受注内容の確認作業に手間取る恐れがあった。しかも、加工に必要な情報が図面に記載されていないときには、受注者が改めて図面を作成し直すこともあり、この場合、受注者の労力が必要となり、受発注に伴う処理作業を円滑に進めることができなかった。
【０００７】
また、一般に、受注者（例えばメーカー）は、常備している標準部品の種類・仕様等を、カタログやガイドブックによって案内しているが、発注者は、案内された部品にとらわれず、自由な形状または自由な寸法で図面を作成する場合がある。そして、この場合、形状や寸法の僅かな違いにより、常備された標準部品では対応できず、納期が大幅に遅れたり、コストの増大をもたらすことがあった。
【０００８】
このように、受注者であるメーカーは、標準部品を利用させることにより、発注者からの注文に対して、安価に且つ速やかに対応しようとしても、カタログやガイドブックだけでは発注者に伝わらず、その趣旨を徹底することができなかった。
【０００９】
さらに、設計に不慣れな工務店等が、階段の構成部品を発注する際には、階段の形状と、個々の構成部品の寸法とがどのように関係し合うのか理解できない場合があり、この場合には、受注者及び発注者間での、発注内容の調整に手間取ることが多々あった。
【００１０】
そこで、本発明は、上記の実情に鑑み、複雑な加工を伴う住宅構成物の形状を、図面を作成することなく簡単に且つ正確に決定させ、また、常備された標準部品を用いることで安価に且つ速やかに対応でき、さらに、受注者及び発注者間での調整に手間取ることのない受発注支援システム、及びプログラムの提供を課題とするものである。
【００１１】
【課題を解決するための手段】
請求項１の発明にかかる受発注支援システムは、階段等の住宅構成物を構築するために必要とされる個々の構成部品を、発注側端末装置から通信ネットワークを介してサーバーに発注することが可能な住宅構成物の受発注支援システムであって、前記サーバーは、前記構成部品の組合せからなる複数の組合せプランを、前記住宅構成物の基本図面として記憶した基本図面記憶手段と、前記住宅構成物の形態及び仕様等の構成要素を、前記組合せプランに関連付けて記憶した構成要素記憶手段と、前記基本図面記憶手段に記憶された前記複数の組合せプランを、前記発注側端末装置に出力し、前記複数の組合せプランの中からいずれか一つを選択させるプラン選択要求手段と、選択された組合せプランに対して変更可能な構成要素を前記構成要素記憶手段から抽出する抽出手段と、抽出された前記構成要素に関する情報を前記発注側端末装置に出力し、前記構成要素の変更を許可する変更許可手段と、選択された前記組合せプラン及び変更された前記構成要素を基に、前記住宅構成物の形状図面を作成し、前記発注側端末装置に出力する形状図面出力手段とを具備するものである。
【００１２】
ここで、「構成部品」とは、住宅構成物を構成する複数の部品であり、例えば、階段を住宅構成物とした場合、構成部品には、側板、踏み板、踏込板、踏込板廻り、及び上段框等が含まれる。また、「構成要素」とは、住宅構成物を機能的または形状的な観点から分別したときに、基となる成分であり、例えば、階段を住宅構成物とした場合、構成要素には、直階段の段数、廻り階段の段数、廻り方向、上部階段の有無、及び上部階段の段数等の項目が含まれる。
【００１３】
また、「基本図面」及び「形状図面」には、平面図、斜視図、または正面図等が含まれる。なお、図面は設計図面に限らず簡略化された図面であってもよい。つまり、発注者が住宅構成物の大まかな形状を確認できる程度のものであればよい。
【００１４】
したがって、請求項１の発明の受発注支援システムによれば、サーバーは、まず、複数の組合せプランを発注側端末装置に出力し、その中からいずれか一つを選択させる。つまり、発注側端末装置に複数の組合せプランを表示させ、発注者が希望する住宅構成物に相当する図面を選択させる。そして、発注側端末装置において一つの組合せプランが選択されると、選択された組合せプランに対して変更可能な構成要素を抽出するとともに、それに関する情報を発注側端末装置に出力する。例えば、階段を住宅構成物とした場合には、選択された組合せプラン（階段の基本図面）を基準として、「階段の段数」や「廻り方向」に関して変更があるか否かを確認することになる。その後、サーバーは、選択された組合せプラン及び変更された構成要素を基に、住宅構成物の形状図面を作成し、発注側端末装置に出力する。このように、発注側端末装置に形状図面を出力することにより、発注者は、形状図面を確認し、その形状図面を基に発注を行うことが可能になる。なお、形状図面は、基本図面を変更することにより作成してもよく、予め記憶された複数の図面の中から、選択された組合せプラン及び変更された構成要素の組合せに合致する図面を抽出し、それを形状図面とするようにしてもよい。
【００１５】
請求項２の発明にかかる受発注支援システムは、請求項１に記載の受発注支援システムにおいて、前記サーバーは、個々の前記構成部品の標準寸法を前記構成部品に対応させて記憶した寸法記憶手段と、前記発注側端末装置から、前記住宅構成物の各部における希望寸法が入力されると、該希望寸法及び前記形状図面に基づいて、前記住宅構成物に適した前記構成部品の標準寸法を前記寸法記憶手段から抽出する寸法抽出手段と、抽出された前記標準寸法を、前記発注側端末装置に出力する寸法情報出力手段とをさらに備えるものである。
【００１６】
ここで、「標準寸法」とは、既製部品のサイズのことであり、ここでは、同じ名称の部品であっても、サイズが異なる場合には、互いに異なる構成部品とする。さらに、「住宅構成物の各部における希望寸法」とは、構築する住宅構成物に関する寸法のことであり、例えば、階段を住宅構成物とした場合、各部には、階高、踏み面、柱角、及び鼻の出等が含まれる。
【００１７】
したがって、請求項２の発明の受発注支援システムによれば、請求項１の発明の作用に加え、サーバーは、発注側端末装置から寸法情報が入力されると、住宅構成物の各部における希望寸法と、前述した形状図面とに基づいて、その住宅構成物を構築するのに適した構成部品を選定するとともに、少なくとも、その構成部品の標準寸法を寸法記憶手段から抽出し、発注側端末装置に送信する。具体的に階段を例として説明すると、発注側端末装置において、階段の階高、踏み面、柱角、及び鼻の出等の寸法が入力または選択されると、サーバーでは、その寸法の階段を構築することが可能な部品を選ぶとともに、その部品に対応する標準寸法を抽出し、発注側端末装置に送信する。
【００１８】
このように、構成部品の標準寸法が発注側端末装置に送信されることにより、発注側端末装置では、住宅構成物の構築に必要な構成部品、及びその寸法を表示させることが可能になる。
【００１９】
請求項３の発明にかかる受発注支援システムは、請求項２に記載の受発注支援システムにおいて、前記寸法記憶手段には、前記標準寸法とともに個々の前記構成部品の販売価格が記憶され、前記サーバーは、前記形状図面及び前記寸法情報に基づいて、前記構成部品毎の必要個数を算出する個数算出手段と、該個数算出手段によって算出された必要個数、及び前記寸法記憶手段に記憶された販売価格を含む見積情報を、前記発注側端末装置に出力する見積情報出力手段とをさらに備えるものである。
【００２０】
したがって、請求項３の発明の受発注支援システムによれば、請求項２の発明の作用に加え、サーバーは、形状図面及び寸法情報に基づいて、構成部品毎の必要個数を算出するとともに、算出された必要個数と、構成部品の販売価格とを発注側端末装置に出力する。これにより、発注側端末装置では、これらの情報を見積情報として表示させることが可能になる。
【００２１】
請求項４の発明にかかる受発注支援システムは、請求項１乃至請求項３のいずれか一つに記載の受発注支援システムにおいて、前記サーバーは、前記住宅構成物の施工写真を、夫々の前記組合せプランに関連付けて記憶した写真記憶手段と、前記発注側端末装置で一つの組合せプランが選択されると、該組合せプランに対応する施工写真を前記写真記憶手段から抽出し、前記発注側端末装置に出力する施工写真出力手段とをさらに備えるものである。
【００２２】
したがって、請求項４の発明の受発注支援システムによれば、請求項１乃至請求項３のいずれか一つの発明の作用に加え、発注側端末装置で一つの組合せプランが選択されると、サーバーでは、それに対応する施工写真（詳しくは施工写真の画像データ）を抽出し、発注側端末装置に出力する。これによれば、発注者は、図面のみではなく施工写真によって組合せプランを確認することが可能になる。
【００２３】
請求項５の発明にかかる受発注支援システムは、請求項１乃至請求項４のいずれか一つに記載の受発注支援システムにおいて、前記サーバーは、前記発注側端末装置によって選択された前記組合せプラン及び変更された前記構成要素を互いに関連付けて記憶する選択情報記憶手段と、前記組合せプランが選択された後に、前記発注側端末装置において所定の操作がなされると、前記組合せプランに対応する前記構成要素を前記選択情報記憶手段から抽出し前記発注側端末装置に出力する構成要素出力手段とをさらに備えるものである。
【００２４】
したがって、請求項５の発明の受発注支援システムによれば、請求項１乃至請求項４のいずれか一つの発明の作用に加え、組合せプランが選択された後に、発注側端末装置において所定の操作がなされると、サーバーは、選択情報記憶手段に記憶された構成要素（すなわち以前に入力され記憶された構成要素）から、組合せプランに対応するものを抽出し、発注側端末装置に出力する。これにより、発注側端末装置に構成要素が表示され、発注者はその構成要素をベースとして変更を加えることが可能となる。つまり、過去に入力した情報を再利用することが可能になる。
【００２５】
請求項６の発明にかかる受発注支援プログラムは、階段等の住宅構成物を構築するために必要とされる個々の構成部品を、発注側端末装置から通信ネットワークを介してサーバーに発注することが可能な住宅構成物の受発注支援システムにおいて使用される受発注支援プログラムであって、前記構成部品の組合せからなる複数の組合せプランを、前記住宅構成物の基本図面として記憶した基本図面記憶手段、前記住宅構成物の形態及び仕様等の構成要素を、前記組合せプランに関連付けて記憶した構成要素記憶手段、前記基本形状記憶手段に記憶された前記複数の組合せプランを、前記発注側端末装置に出力し、前記複数の組合せプランの中からいずれか一つを選択させるプラン選択要求手段、選択された組合せプランに対して変更可能な構成要素を前記構成要素記憶手段から抽出する抽出手段、抽出された前記構成要素に関する情報を前記発注側端末装置に出力し、前記構成要素の変更を許可する変更許可手段、及び、選択された前記組合せプラン及び変更された前記構成要素を基に前記住宅構成物の形状図面を作成し、前記発注側端末装置に出力する形状図面出力手段として、前記サーバーを機能させるものである。
【００２６】
したがって、請求項６の発明の受発注支援プログラムによれば、サーバーにおいて実行させることにより、基本図面を基に住宅構成物の形状図面を出力することが可能になる。なお、具体的な処理については、請求項１の作用と同様であるため、ここでは詳細な説明を省略する。
【００２７】
【発明の実施の形態】
以下、本発明の一実施形態である住宅構成物の受発注支援システム１（以下、受発注支援システム１と称す）について、図１乃至図６に基づき説明する。図１は受発注支援システム１全体の構成を示す説明図であり、図２は受発注支援システム１におけるサーバーの機能的構成を示すブロック図であり、図３は受発注支援システム１における発注側端末装置の機能的構成を示すブロック図である。また図４及び図５は発注側端末装置における表示画面の一例を模式的に示す説明図であり、図６はサーバーにおける処理の流れを示すフローチャートである。
【００２８】
本実施形態の受発注支援システム１は、住宅構成物を構築するために必要とされる個々の構成部品を、ネットワーク３を介して発注することが可能なシステムである。なお、住宅構成物とは、住宅の一部を構成する集合部材のことであり、例えば、階段、キッチンユニット、玄関ユニット、収納ユニット、トイレユニット、及びバスユニット等を含めることができる。本例では、階段を住宅構成物とした場合について具体的に説明する。
【００２９】
受発注支援システム１は、図１に示すように、主な構成として、サーバー２と、このサーバー２にネットワーク３（インターネット等）を介して接続された複数の発注側端末装置４とを備えている。なお、サーバー２は受注者５によって管理され、発注側端末装置４は発注者６（建築業者や工務店）が利用可能な状態に設けられている。また、ネットワーク３には、メーカー７が使用する製造側端末装置８が接続されている。つまり、製造側端末装置８によって受注内容を確認し、発注者６に構成部品１０を配送することを可能にしている。
【００３０】
サーバー２は、発注側端末装置４からの指示を、ネットワーク３を介して受信し、これらの指示に応じた処理を行うものである。ハード構成としては、汎用のコンピュータと同様、主記憶装置、演算装置、及び制御装置から構成される中央処理装置と、キーボードやポインティングデバイス等、情報を直接入力するための入力装置と、サーバー２の中で処理された情報を取出すディスプレイ等の出力装置と、ネットワーク３を介してデータの送受信を行うモデム等の通信手段と、ハードディスク等から構成された記憶装置１１とを備えている。なお、通信手段は、図２に示すように、発注側端末装置４からデータを受信する受信手段１２、及び発注側端末装置４にデータを送信する送信手段１３を有する通信制御手段１４によって制御されるようになっている。
【００３１】
また、記憶装置１１には、基本図面データベース１６、構成要素データベース１７、構成部品データベース１８、及び選択情報データベース１９が構築されている。基本図面データベース１６は、複数の構成部品１０（例えば側板、踏み板、踏込板、踏込板廻り、及び上段框等）の組合せからなる複数の組合せプラン２０を、階段の基本図面として記憶するとともに、階段の施工写真２１を各組合せプラン２０に関連付けて記憶している。つまり、本例の基本図面データベース１６には、本発明の基本図面記憶手段及び写真記憶手段の両機能が備えられている。
【００３２】
構成要素データベース１７は、階段を機能的な観点によって、複数の成分すなわち複数の構成要素２２（例えば、直階段の段数、廻り階段の段数、廻り方向、上部階段の有無、及び上部階段の段数等）に分別し、これらの構成要素２２を組合せプラン２０に関連付けて記憶している。ここで、構成要素データベース１７が本発明の構成要素記憶手段に相当する。
【００３３】
構成部品データベース１８は、構成部品１０に関するデータを記憶するものである。なお、これらのデータには、構成部品１０の名称、品番、標準寸法２４、及び販売価格２５等が含まれ、各構成部品１０に対応するように表形式で記憶されている。ここで、構成部品データベース１８が本発明の寸法記憶手段に相当する。
【００３４】
選択情報データベース１９は、発注側端末装置４で既に選択された構成要素２６及び組合せプラン２７を互いに関連付けて記憶するものである。そして、以前に発注側端末装置４で入力または設定された情報を再利用することを可能にしている。ここで、選択情報データベース１９が本発明の選択情報記憶手段に相当する。
【００３５】
ところで、このサーバー２には、受発注支援プログラムがインストールされており、このプログラムを実行させることにより、以下に示す機能的構成を有するものになる。
【００３６】
すなわち、図２に示すように、サーバー２は、発注者６の希望に応じた階段の形状図面を作成するための機能的手段として、プラン選択要求手段２９、施工写真出力手段３０、構成要素抽出手段３１、変更許可手段３２、及び形状図面出力手段３３を有している。プラン選択要求手段２９は、基本図面データベース１６に記憶された複数の組合せプラン２０を発注側端末装置４に出力し、これらの組合せプラン２０の中からいずれか一つを選択させるものである。つまり、発注側端末装置４に複数の組合せプラン２０を表示させ、発注者６が希望する階段に相当する図面または類似する図面を選択させるものである。施工写真出力手段３０は、発注側端末装置４において一つの組合せプラン２０が選択された際、その組合せプラン２０に対応する施工写真２１の画像データを基本図面データベース１６から抽出し、発注側端末装置４に送信するものである。これにより、発注者６は、自分が選択した組合せプラン２０を施工写真２１により確認することが可能になる。
【００３７】
構成要素抽出手段３１は、選択された組合せプラン２０（すなわち施工写真２１を基に確定された組合せプラン２０）に対して変更可能な構成要素２２を、構成要素データベース１７から抽出するものである。また、変更許可手段３２は、抽出された構成要素２２に関する情報を発注側端末装置４に出力し、各構成要素２２の変更を許可するものである。つまり、選択された組合せプラン２０を基準として、階段の段数や階段の廻り方向等の各構成要素２２に関して変更（修正）があるか否かを確認するとともに、変更がある場合には、変更後の構成要素２２を選択または入力させる。ここで、構成要素抽出手段３１が本発明の抽出手段に相当する。
【００３８】
形状図面出力手段３３は、発注者６によって選択された組合せプラン２０及び変更された構成要素２２に基づいて階段の形状図面を作成し、その図面に関するデータを発注側端末装置４に出力するものである。つまり、変更された構成要素２２を基に基本図面データベース１６に記憶された組合せプラン２０を変更することにより、発注者６の希望に応じた形状図面を作成し、発注側端末装置４に表示させる。
【００３９】
また、サーバー２は、階段を構築する構成部品１０を特定するとともに見積書を作成するための機能的手段として、寸法抽出手段３４、個数算出手段３５、及び見積情報出力手段３６を有している。寸法抽出手段３４は、質問形式の入力画面に、希望寸法に関する情報や素材に関する情報が入力されると、形状図面及び希望寸法等から構成部品１０の種類を選定するとともに、個々の構成部品１０における必要寸法を算出し、その後、構成部品データベース１８に記憶された個々の構成部品１０の標準寸法２４と比較して、この階段に適切な構成部品１０を選定するものである。つまり、寸法に関して言えば、必要寸法と等しいか、あるいはそれより大きなサイズの構成部品１０が選定される。なお、必要寸法を算出する際には、現場において加工されるときに必要となる加工しろの長さが加味される。
【００４０】
個数算出手段３５は、特定された構成部品１０の必要個数を算出するものである。算出された個数は見積情報出力手段３６に送られる。見積情報出力手段３６は、発注側端末装置４に、構成部品１０に関する情報、すなわち標準寸法２４及び販売価格２５を含む見積情報を送信する。つまり、見積情報出力手段３６は本発明の寸法情報出力手段としても機能している。
【００４１】
さらにサーバー２は、構成要素出力手段３７を有している。構成要素出力手段３７は、発注側端末装置４において所定の操作がなされると、以前に入力された情報、詳しくは、組合せプラン２７に対応して入力された構成要素２６を選択情報データベース１９から抽出し発注側端末装置４に出力するものである。つまり、以前に入力された各構成要素２６を発注側端末装置４に表示させ、これをベースとして変更を加えることを可能とするものである。
【００４２】
なお、図示していないが、サーバー２には、受信手段１２を介して発注側端末装置４から受注情報が入力された場合に、在庫管理データベースに記憶されている各データに基づいて、構成部品１０の納期や運賃等を算出し、発注側端末装置４に送出する受注処理手段が備えられている。
【００４３】
一方、発注側端末装置４は、ブラウザソフトがインストールされた汎用のコンピュータであり、主記憶装置、演算装置、及び制御装置から構成される中央処理装置と、ネットワーク３を介してデータを送受信する通信装置とを備えている。なお、図３に示すように、通信装置は、受信手段３９及び送信手段４０を有する通信制御手段４１によって制御される。また、発注側端末装置４には、キーボードやポインティングデバイス等の入力装置４２と、ディスプレイ４３を制御する表示制御手段４４とが設けられている。
【００４４】
さらに、発注側端末装置４は、機能的構成として、入力装置４２の操作によって、組合せプラン２０を選択するためのプラン指示手段４６、構成要素２２の変更を指示するための構成要素指示手段４７、希望寸法を入力させるための希望寸法指示手段４８、及びデータの再利用を指示するためのデータ利用指示手段４９を有している。また、見積処理及び発注処理を指示するための見積指示手段５０及び発注指示手段５１を有している。
【００４５】
次に、本実施形態の受発注支援システム１の動作、特にサーバー２の処理（本発明の受発注支援プログラムに相当）について、図６に基づき説明する。まず、サーバー２は、いずれかの発注側端末装置４からアクセスがあった場合（ステップＳ１においてＹＥＳ）、その発注側端末装置４に複数の組合せプラン２０を出力する（ステップＳ２）。これによれば、図４（ａ）に示すように、発注側端末装置４のディスプレイ４３において複数の組合せプラン２０が表示され、発注者６は、所望の組合せプラン２０を選択することが可能になる。
【００４６】
そして、サーバー２は、発注側端末装置４において組合せプラン２０が選択されると（ステップＳ３においてＹＥＳ）、選択された組合せプラン２０における施工写真２１の画像データ等を基本図面データベース１６から抽出し、発注側端末装置４に送信する（ステップＳ４）。これによれば、図４（ｂ）に示すように、発注側端末装置４のディスプレイ４３に施工写真２１の画像が表示されるとともに、組合せプラン２０に関する情報が表示される。
【００４７】
続いて、サーバー２は、「組合せプラン２０の選択を確定される指示」が発注側端末装置４から入力されると（ステップＳ５においてＹＥＳ）、組合せプラン２０に対応して変更可能な構成要素２２を構成要素データベース１７から抽出し、発注側端末装置４に出力する（ステップＳ６）。これによれば、図４（ｃ）に示すように、発注側端末装置４のディスプレイ４３に設定変更可能な複数の構成要素２２が表示される。具体的には、「柱角」、「柱芯々」、「廻り方向」、「増減部分」、及び「段数変更」等の項目が表示されるとともに、各項目において選択可能な条件が表示される。例えば、組合せプラン２０の中の「プランＧ」を選択した場合、基本図面では「箱型の折り返し階段」で「上段部が６段、下段部が８段」の階段となるが、この基本図面に対して、「上段部を１段」増加させたいときには、図４（ｃ）の画面において「増減部分」に対して「上部」を選択し、且つ「段数変更」に対して「増」を選択すればよい。なお、ステップＳ５において確定されることなく、組合せプラン２０の選択を変更させる指示が入力されると（ＮＯ）、ステップＳ２に戻り図４（ａ）に示す画面を表示させる。
【００４８】
一方、発注側端末装置４において構成要素２２が変更され、それを確定させる指示が入力されると（ステップＳ７においてＹＥＳ）、組合せプラン２０及び変更された構成要素２２を基に階段の形状図面を作成し、発注側端末装置４に出力する。これによれば、図５（ａ）に示すように、発注側端末装置４のディスプレイ４３に変更後の構成要素２２と形状図面５３とが表示される。この例では上段部が一段増えた場合の図面が表示される。
【００４９】
その後、発注側端末装置４では、ディスプレイ４３に表示された形状図面５３に関して、寸法、色、及び素材等を含む寸法情報を入力することが可能になる（図５（ｅ）参照）。ここで、寸法には、階高、踏み面の高さ、及び鼻の出等が含まれる。そして、サーバー２では、寸法情報が入力されたか否かを判断し、寸法情報が入力された場合には（ステップＳ９においてＹＥＳ）、階段を構築するのに適した構成部品１０の種類を選定するとともに、構成部品１０における必要寸法を算出する（ステップＳ１０）。例えば、柱角の大きさと柱の間隔とから柱内寸法を求め、これに加工しろを加えて必要な踏み板長さを算出する。また、踏み面の長さ、蹴上げの高さ（階高／総段数）、及び直階段の段数から、直階段の側板の長さを算出する。
【００５０】
その後、必要寸法に一致する構成部品１０、または一致するものがない場合には必要寸法より大きな寸法の構成部品１０を抽出する（ステップＳ１１）。なお、この際、色や素材に関する情報も選定条件とされる。また、各構成部品１０の個数を算出する（ステップＳ１２）。例えば、下段部の段数と上断部の段数とを加え、それを踏み板の個数とする。
【００５１】
そして、このように構成部品１０に関するデータを取得した後、これらのデータを構成部品情報として発注側端末装置４に出力する（ステップＳ１３）。これにより、発注側端末装置４のディスプレイ４３には、図５（ｆ）に示すような画面が表示され、発注者６は、必要な構成部品１０を見積情報として認識することが可能になる。なお、画面には、各構成部品１０の「名称」、「品番」、「サイズ（寸法）」、「数量」、及び「価格」が表形式で表示される。
【００５２】
その後、発注側端末装置４から、発注の指示、納入場所、及び納入方法等を含む発注情報が入力されると（ステップＳ１４においてＹＥＳ）、納期や運賃を求め、受注情報として発注側端末装置４に出力する。
【００５３】
上記一連の作業により、発注者６から受注者５に構成部品１０が発注され、メーカー７から発注者６に構成部品１０を配送することが可能になる。なお、メーカー７自身が受注者５となってもよいことは言うまでもない。
【００５４】
このように、上記の受発注支援システム１では、発注側端末装置４において、所望の組合せプラン２０を選択させ、その後必要に応じて構成要素２２を変更させることにより、階段の形状図面５３を作成し表示させることが可能になる。このため、発注者６が図面を作成するという手間がなくなり、発注者６の負担を軽くすることができる。また、表示された形状図面５３に基づいて発注されることにより、発注内容が受注者５に正確に伝わり、これにより発注内容の確認作業を省くことが可能となり、受注者５の労力も低減できる。さらに、階段を構築するために必要な構成要素２２を、発注側端末装置４において認識することが可能になり、設計等に不慣れな発注者６であっても、間違いなく注文することができる。
【００５５】
特に、形状図面５３においては、各種寸法によってパターンを変更しないことから、固定化されたパターンとして登録すればよく、ＣＡＤによる毎回の作図が必要でなくなる。これにより、作図に伴う複雑な作業を発注者６に強いることがなく、極めて容易に作業を行なわせることができるとともに、発注側端末装置４におけるアプリケーションプログラムの導入や能力の負担を低減することができる。また、固定化された図形を表示することから、図形の簡略化を図ることが可能になり、携帯端末等、比較的小さな画面の端末装置であっても対応することが可能である。
【００５６】
また、上記の受発注支援システム１では、まず、階段の基本図面となる複数の組合せプラン２０を表示させ、その中から所望の組合せプラン２０を選択させるため、階段の全体仕様を施主等に理解させやすく、施主の好みを容易に反映させることができる。特に、施工写真２１によって組合せプラン２０を確認することができるため、発注者６は実物に近いイメージを得ることができる。つまり、発注者６が想い描いていた完成予想図と、実際に建築された階段とに違いが生じるのを防ぐことができる。
【００５７】
さらに上記の受発注支援システム１では、見積情報を表示させることができるため、発注者６は、必要とされる各構成部品１０の価格を認識でき、速やかに発注を行なうことが可能になる。
【００５８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５９】
すなわち、本実施形態の受発注支援システム１では、発注側端末装置として、汎用のコンピュータを用いるものを示したが、発注側端末装置は、ネットワーク３を介してサーバー２にアクセスできるものであればよく、例えば携帯電話等を利用することも可能である。
【００６０】
【発明の効果】
以上のように、請求項１の発明の受発注支援システムは、所望の組合せプランを選択させ、その後必要に応じて構成要素を変更させることにより、住宅構成物の形状図面を表示させることが可能になる。このため、発注者が住宅構成物の図面を作成する、という手間がなくなり、発注者の負担を軽くすることができる。また、表示された形状図面に基づいて発注されることにより、発注内容が受注者に正確に伝わり、これにより発注内容の確認作業を省くことが可能となり、受注者の労力も低減できる。
【００６１】
請求項２の発明の受発注支援システムは、請求項１の発明の効果に加え、住宅構成物を構築するために必要な構成部品を、発注側端末装置において認識することが可能になり、設計等に不慣れな発注者であっても、間違いなく注文することができる。また、メーカーにおける標準部品を用いて住宅構成物を構築できるため、各構成部品を安価に且つ速やかに納入することが可能である。
【００６２】
請求項３の発明の受発注支援システムは、請求項２の発明の効果に加え、発注側端末装置に見積情報を表示させることが可能になるため、発注者は、必要とされる各構成部品の価格を認識でき、安心して発注を行なうことが可能になる。
【００６３】
請求項４の発明の受発注支援システムは、請求項１乃至請求項３のいずれか一つの発明の効果に加え、施工写真によって組合せプランを確認することが可能になるため、発注者は実物に近いイメージを得ることができる。
【００６４】
請求項５の発明の受発注支援システムは、請求項１乃至請求項４のいずれか一つの発明の効果に加え、過去に設定された情報を再利用することが可能になり、設定に伴う発注者の負担を一層軽減することができる。
【００６５】
請求項６の発明の受発注支援プログラムは、実行させることにより、サーバーから発注側端末装置に、住宅構成物の形状図面を出力することが可能になり、発注者及び受注者の負担を軽くできるとともに、速やかに且つ正確に受発注を行なわせることができる。
【図面の簡単な説明】
【図１】本発明の一実施形態である受発注支援システムの構成を示す説明図である。
【図２】受発注支援システムにおけるサーバーの機能的構成を示すブロック図である。
【図３】受発注支援システムにおける発注側端末装置の機能的構成を示すブロック図である。
【図４】発注側端末装置における表示画面の変化を模式的に示す説明図である。
【図５】発注側端末装置における表示画面の変化を模式的に示す説明図である。
【図６】サーバーにおける処理の流れを示すフローチャートである。
【符号の説明】
１  受発注支援システム（住宅構成物の受発注支援システム）
２  サーバー
３  ネットワーク（通信ネットワーク）
４  発注側端末装置
６  発注者（ユーザ）
１０  構成部品
１６  基本図面データベース（基本図面記憶手段，写真記憶手段）
１７  構成要素データベース（構成要素記憶手段）
１８  構成部品データベース（寸法記憶手段）
１９  選択情報データベース（選択情報記憶手段）
２０  組合せプラン
２１  施工写真
２２  構成要素
２４  標準寸法
２５  販売価格
２６  構成要素
２７  組合せプラン
２９  プラン選択要求手段
３０  施工写真出力手段
３１  構成要素抽出手段（抽出手段）
３２  変更許可手段
３３  形状図面出力手段
３４  寸法抽出手段
３５  個数算出手段
３６  見積情報出力手段（寸法情報出力手段）
３７  構成要素出力手段
５３  形状図面
【図１】
2004227048.tif 000003
【図２】
2004227048.tif 000004
【図３】
2004227048.tif 000005
【図４】
2004227048.tif 000006
【図５】
2004227048.tif 000007
【図６】
2004227048.tif 000008